(57)【要約】【課題】  イベントを開催する場合、取引の安全を確保することが難しい。また、採算を考慮しつつ、イベントの開催時期を決定することが難しい。【解決手段】  イベントの開催に関する告知情報の配信を希望する配信希望者を登録する登録部と、配信希望者の通信端末に、告知情報を配信する配信部と、配信部が配信した告知情報に示されたイベントへの参加を希望する参加希望者の通信端末から、当該イベントへの参加の申し込みに関する申込情報を取得する申込情報取得部と、申込情報取得部が申込情報を取得したことに応じて、決済処理又は与信枠を確保するための処理を実行する決済処理部とを備える。【選択図】図１
2018206041.tif 000002
【特許請求の範囲】
【請求項１】
イベントの開催に関する告知情報の配信を希望する配信希望者を登録する登録部と、
前記配信希望者の通信端末に、前記告知情報を配信する配信部と、
前記配信部が配信した告知情報に示されたイベントへの参加を希望する参加希望者の通信端末から、当該イベントへの参加の申し込みに関する申込情報を取得する申込情報取得部と、
前記申込情報取得部が前記申込情報を取得したことに応じて、決済処理又は与信枠を確保するための処理を実行する決済処理部と、
を備える、情報処理装置。
【請求項２】
前記参加希望者の中から、参加者を選定する選定部をさらに備える、
請求項１に記載の情報処理装置。
【請求項３】
前記選定部は、（ｉ）前記イベントの開催者の指示、（ｉｉ）抽選結果、（ｉｉｉ）申し込みの順序、及び、（ｉｖ）支払金額の少なくとも１つに基づいて、前記参加者を決定する、
請求項２に記載の情報処理装置。
【請求項４】
前記選定部が選定した前記参加者の通信端末に、前記イベントへの参加が認められたことを示す情報と、前記イベントの開催場所の詳細な位置を示す第１位置情報とを含む当選通知を送信する通知部をさらに備える、
請求項２又は請求項３に記載の情報処理装置。
【請求項５】
前記配信部により配信される告知情報には、前記第１位置情報により示される位置を含む地理的範囲を示す第２位置情報が含まれる、
請求項４に記載の情報処理装置。
【請求項６】
前記参加者以外の前記参加希望者に対する返金処理を実行する返金処理部をさらに備える、
請求項２から請求項５までの何れか一項に記載の情報処理装置。
【請求項７】
コンピュータを、請求項１から請求項６までの何れか一項に記載の情報処理装置として機能させるためのプログラム。
【請求項８】
イベントの開催に関する告知情報の配信を希望する配信希望者を登録する登録段階と、
前記配信希望者の通信端末に、前記告知情報を配信する配信段階と、
前記配信段階において配信された告知情報に示されたイベントへの参加を希望する参加希望者の通信端末から、当該イベントへの参加の申し込みに関する申込情報を取得する申込情報取得段階と、
前記申込情報取得段階において前記申込情報が取得されたことに応じて、決済処理又は与信枠を確保するための処理を実行する決済処理段階と、
を有する、情報処理方法。
【発明の詳細な説明】
【技術分野】
【０００１】
本発明は、情報処理装置、プログラム、及び、情報処理方法に関する。
【背景技術】
【０００２】
電子チケット又は電子クーポンを配信するシステム（特許文献１及び２を参照）、及び、同一又は類似の目的又は属性を有するユーザ同士をマッチングするマッチングシステム（特許文献３及び４を参照）が知られている。また、電子商取引における取引の安全性を向上させるための決済システムが知られている（特許文献５及び６を参照）。
［先行技術文献］
［特許文献］
［特許文献１］  特開２００２−１９７２２１号公報
［特許文献２］  特表２００４−５１４９９０号公報
［特許文献３］  特開２００４−０６２４９０号公報
［特許文献４］  特開２００６−１７２２２３号公報
［特許文献５］  特開２００１−１６７１６３号公報
［特許文献６］  特開２００２−０７４２１９号公報
【発明の概要】
【発明が解決しようとする課題】
【０００３】
イベントを開催する場合、取引の安全を確保することが難しい。また、採算を考慮しつつ、イベントの開催時期を決定することが難しい。
【課題を解決するための手段】
【０００４】
本発明の第１の態様においては、情報処理装置が提供される。上記の情報処理装置は、例えば、イベントの開催に関する告知情報の配信を希望する配信希望者を登録する登録部を備える。上記の情報処理装置は、例えば、配信希望者の通信端末に、告知情報を配信する配信部を備える。上記の情報処理装置は、例えば、配信部が配信した告知情報に示されたイベントへの参加を希望する参加希望者の通信端末から、当該イベントへの参加の申し込みに関する申込情報を取得する申込情報取得部を備える。上記の情報処理装置は、例えば、申込情報取得部が申込情報を取得したことに応じて、決済処理又は与信枠を確保するための処理を実行する決済処理部を備える。
【０００５】
上記の情報処理装置は、参加希望者の中から、参加者を選定する選定部を備えてよい。上記の情報処理装置において、選定部は、（ｉ）イベントの開催者の指示、（ｉｉ）抽選結果、（ｉｉｉ）申し込みの順序、及び、（ｉｖ）支払金額の少なくとも１つに基づいて、参加者を決定してよい。上記の情報処理装置は、選定部が選定した参加者の通信端末に、イベントへの参加が認められたことを示す情報と、イベントの開催場所の詳細な位置を示す第１位置情報とを含む当選通知を送信する通知部を備えてよい。上記の情報処理装置において、配信部により配信される告知情報には、第１位置情報により示される位置を含む地理的範囲を示す第２位置情報が含まれてよい。上記の情報処理装置は、参加者以外の参加希望者に対する返金処理を実行する返金処理部を備えてよい。
【０００６】
本発明の第２の態様においては、プログラムが提供される。上記のプログラムを格納する非一時的コンピュータ可読媒体が提供されてもよい。上記のプログラムは、コンピュータを、上記の情報処理装置として機能させるためのプログラムであってよい。上記のプログラムは、コンピュータに、上記の情報処理装置における情報処理方法を実行させるためのプログラムであってよい。
【０００７】
本発明の第３の態様においては、情報処理方法が提供される。上記の情報処理方法は、例えば、イベントの開催に関する告知情報の配信を希望する配信希望者を登録する登録段階を有する。上記の情報処理方法は、例えば、前記配信希望者の通信端末に、前記告知情報を配信する配信段階を有する。上記の情報処理方法は、例えば、前記配信段階において配信された告知情報に示されたイベントへの参加を希望する参加希望者の通信端末から、当該イベントへの参加の申し込みに関する申込情報を取得する申込情報取得段階を有する。上記の情報処理方法は、例えば、前記申込情報取得段階において前記申込情報が取得されたことに応じて、決済処理又は与信枠を確保するための処理を実行する決済処理段階を有する。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】取引管理システム１００のシステム構成の一例を概略的に示す。
【図２】ＳＮＳ提供部１１８の内部構成の一例を概略的に示す。
【図３】取引管理システム１００における情報処理の一例を概略的に示す。
【図４】入力画面４００の一例を概略的に示す。
【図５】閲覧画面の画面遷移の一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１１】
［取引管理システム１００の概要］
図１は、取引管理システム１００のシステム構成の一例を概略的に示す。本実施形態において、取引管理システム１００は、イベントの開催者１０４と、開催者１０４が配信する情報を閲覧する１又は複数の閲覧者１０６との間の取引を管理する。上記の取引は、開催者１０４が開催するイベントに参加する権利に関する取引であってよい。取引管理システム１００は、開催者１０４及び１又は複数の閲覧者１０６に、ソーシャル・ネットワーク・サービス（ＳＮＳ）を提供してよい。開催者１０４は、取引管理システム１００を利用して、プロフィール情報、イベントの開催に関する告知情報などを配信する。プロフィール情報は、開催者１０４がアップロードした画像、開催者１０４がアップロードしたメッセージなどを含む。
【００１２】
本実施形態において、取引管理システム１００は、管理サーバ１１０を備える。本実施形態において、管理サーバ１１０は、通信ネットワーク１０を介して、通信端末４０及び通信端末６０との間で情報を送受して、例えば、開催者１０４と、１又は複数の閲覧者１０６との間の取引を管理したり、開催者１０４及び１又は複数の閲覧者１０６に、ソーシャル・ネットワーク・サービス（ＳＮＳ）を提供したりする。
【００１３】
通信ネットワーク１０は、有線通信の伝送路であってもよく、無線通信の伝送路であってもよく、無線通信の伝送路及び有線通信の伝送路の組み合わせであってもよい。通信ネットワーク１０は、無線パケット通信網、インターネット、Ｐ２Ｐネットワーク、専用回線、ＶＰＮ、電力線通信回線などを含んでもよい。通信ネットワーク１０は、（ｉ）携帯電話回線網などの移動体通信網を含んでもよく、（ｉｉ）無線ＭＡＮ（例えば、ＷｉＭＡＸ（登録商標）である。）、無線ＬＡＮ（例えば、ＷｉＦｉ（登録商標）である。）、Ｂｌｕｅｔｏｏｔｈ（登録商標）、Ｚｉｇｂｅｅ（登録商標）、ＮＦＣ（Ｎｅａｒ  Ｆｉｅｌｄ  Ｃｏｍｍｕｎｉｃａｔｉｏｎ）などの無線通信網を含んでもよい。
【００１４】
通信端末４０及び通信端末６０のそれぞれは、通信ネットワーク１０を介して、管理サーバ１１０と情報を送受することができる機器であればよく、その詳細については特に限定されない。通信端末４０及び通信端末６０のそれぞれは、（ｉ）ＣＰＵ、ＧＰＵなどのプロセッサ、ＲＯＭ、ＲＡＭ、通信インタフェースなどを有するデータ処理装置と、（ｉｉ）キーボード、ポインティングデバイス、タッチパネル、カメラ、音声入力装置、ジェスチャ入力装置、各種センサ、ＧＰＳ受信機、ビーコン受信機などの入力装置と、（ｉｉｉ）表示装置、音声出力装置、振動装置、ビーコン発信装置などの出力装置と、（ｉｖ）メモリ、ＨＤＤ、ＳＳＤなどの記憶装置（外部記憶装置を含む。）とを備えてよい。
【００１５】
通信端末４０又は通信端末６０としては、パーソナルコンピュータ、携帯端末などを例示することができる。携帯端末としては、携帯電話、スマートフォン、ＰＤＡ、タブレット、ノートブック・コンピュータ又はラップトップ・コンピュータ、ウエアラブル・コンピュータなどを例示することができる。通信端末４０及び通信端末６０の少なくとも１つは、複数の端末から構成されていてもよい。例えば、通信端末４０及び通信端末６０の少なくとも１つは、（ｉ）ＰＯＳシステム、（ｉｉ）ＰＯＳ端末、（ｉｉｉ）パーソナルコンピュータ、及び、（ｉｖ）発注、販売促進などに利用される少なくとも１つの携帯端末からなる群から選択される少なくとも２つの端末を含む。
【００１６】
開催者１０４の通信端末４０に情報を送信するとは、通信端末４０に割り当てられたアドレス、アカウントなどを宛先として当該情報を送信することだけでなく、開催者１０４に割り当てられたアドレス、アカウントなどを宛先として当該情報を送信することをも含んでよい。同様に、閲覧者１０６の通信端末６０に情報を送信するとは、通信端末６０又は閲覧者１０６に割り当てられたアドレス、アカウントなどを宛先として当該情報を送信することを意味してよい。
【００１７】
例えば、装置Ａが閲覧者１０６の通信端末６０に情報を送信するとは、（ｉ）装置Ａが閲覧者１０６に情報を送信する場合だけでなく、（ｉｉ）装置Ａが、閲覧者１０６に対してメッセージ伝達機能を有するサービスを提供する装置Ｂに、当該サービスにおいて閲覧者１０６に割り当てられたアドレス、アカウントなどを宛先として情報を送信する場合をも含む。メッセージ伝達機能を有するサービスとしては、メールサービス（いわゆるＷｅｂメールサービスを含む。）、データ転送サービス、データ保管サービス、ソーシャル・ネットワーキング・サービス（ＳＮＳと称される場合がある。）などを例示することができる。
【００１８】
同様に、開催者１０４の通信端末４０からの情報を取得するとは、通信端末４０又は開催者１０４に割り当てられたアドレス、アカウントなどを送信元とする情報を取得することを意味してよい。また、閲覧者１０６の通信端末６０からの情報を取得するとは、通信端末６０又は閲覧者１０６に割り当てられたアドレス、アカウントなどを送信元とする情報を取得することを意味してよい。
【００１９】
本実施形態において、管理サーバ１１０は、通信部１１２と、入出力部１１４と、格納部１１６と、ＳＮＳ提供部１１８とを有する。取引管理システム１００、管理サーバ１１０及びＳＮＳ提供部１１８のそれぞれは、情報処理装置の一例であってよい。なお、他の実施形態において、管理サーバ１１０の機能が、通信端末４０及び通信端末６０の少なくとも一方により実現されてもよい。この場合、通信端末４０及び通信端末６０の少なくとも一方は、情報処理装置の一例であってよい。
【００２０】
本実施形態において、通信部１１２は、他の情報処理装置、記憶装置又は記憶媒体との間で情報を送受する。本実施形態において、入出力部１１４は、各種の入力を受け付ける。入出力部１１４は、各種の情報を出力する。入出力部１１４は、各種の入力装置を有してよい。入出力部１１４は、各種の出力装置を有してよい。本実施形態において、格納部１１６は、各種の情報を格納する。
【００２１】
本実施形態において、ＳＮＳ提供部１１８は、開催者１０４及び１又は複数の閲覧者１０６に、ソーシャル・ネットワーク・サービス（ＳＮＳ）を提供する。例えば、ＳＮＳ提供部１１８は、特定の閲覧者１０６（登録者と称する場合がある。）の通信端末６０から、開催者１０４が発信する情報の配信を希望することを示す情報を受け取ると、上記特定の開催者１０４が発信する情報の配信先を示すリストに、上記の閲覧者１０６のアドレス又はアカウントを登録する。ＳＮＳ提供部１１８は、特定の閲覧者１０６の通信端末６０から、開催者１０４のイベントの開催に関する告知情報の配信を希望することを示す情報を受け取った場合に、開催者１０４が開催するイベントの告知情報の配信先を示すリストに、上記特定の閲覧者１０６のアドレス又はアカウントを登録してもよい。
【００２２】
本実施形態において、ＳＮＳ提供部１１８は、開催者１０４と、１又は複数の閲覧者１０６との間の取引を管理する。上記の取引は、開催者１０４が開催するイベントに参加する権利に関する取引であってよい。例えば、ＳＮＳ提供部１１８は、イベントへの参加を希望する閲覧者１０６（申込者と称する場合がある。）から、当該イベントへの参加の申し込みに関する申込情報を受け取ると、決済処理又は与信枠を確保するための処理を実行する。ＳＮＳ提供部１１８は、１又は複数の申込者の中から、イベントに参加することのできる１又は複数の閲覧者１０６（当選者と称する場合がある。）を選定してもよい。ＳＮＳ提供部１１８は、当選者以外の申込者に対しては、返金処理又は与信枠を開放するための処理を実行してよい。登録者は、配信希望者の一例であってよい。申込者は、参加希望者の一例であってよい。当選者は、参加者の一例であってよい。
【００２３】
［取引管理システム１００の各部の具体的な構成］
取引管理システム１００の各部は、ハードウェアにより実現されてもよく、ソフトウエアにより実現されてもよく、ハードウェア及びソフトウエアにより実現されてもよい。取引管理システム１００の各部は、その少なくとも一部が、単一のサーバによって実現されてもよく、複数のサーバによって実現されてもよい。取引管理システム１００の各部は、その少なくとも一部が、仮想サーバ上又はクラウドシステム上で実現されてもよい。取引管理システム１００の各部は、その少なくとも一部が、パーソナルコンピュータ又は携帯端末によって実現されてもよい。携帯端末としては、携帯電話、スマートフォン、ＰＤＡ、タブレット、ノートブック・コンピュータ又はラップトップ・コンピュータ、ウエアラブル・コンピュータなどを例示することができる。取引管理システム１００の各部は、ブロックチェーンなどの分散型台帳技術又は分散型ネットワークを利用して、情報を格納してもよい。
【００２４】
取引管理システム１００を構成する構成要素の少なくとも一部がソフトウエアにより実現される場合、当該ソフトウエアにより実現される構成要素は、一般的な構成の情報処理装置において、当該構成要素に関する動作を規定したソフトウエア又はプログラムを起動することにより実現されてよい。上記の一般的な構成の情報処理装置は、（ｉ）ＣＰＵ、ＧＰＵなどのプロセッサ、ＲＯＭ、ＲＡＭ、通信インタフェースなどを有するデータ処理装置と、（ｉｉ）キーボード、ポインティングデバイス、タッチパネル、カメラ、音声入力装置、ジェスチャ入力装置、各種センサ、ＧＰＳ受信機、ビーコン受信機などの入力装置と、（ｉｉｉ）表示装置、音声出力装置、振動装置、ビーコン発信装置などの出力装置と、（ｉｖ）メモリ、ＨＤＤ、ＳＳＤなどの記憶装置（外部記憶装置を含む。）とを備えてよい。
【００２５】
上記の一般的な構成の情報処理装置において、上記のデータ処理装置又は記憶装置は、上記のソフトウエア又はプログラムを記憶してよい。上記のソフトウエア又はプログラムは、プロセッサによって実行されることにより、上記の情報処理装置に、当該ソフトウエア又はプログラムによって規定された動作を実行させる。上記のソフトウエア又はプログラムは、非一時的なコンピュータ可読記録媒体に格納されていてもよい。上記のソフトウエア又はプログラムは、コンピュータを、取引管理システム１００又はその一部として機能させるためのプログラムであってよい。上記のソフトウエア又はプログラムは、コンピュータに、取引管理システム１００又はその一部における情報処理を実行させるためのプログラムであってよい。
【００２６】
図２は、ＳＮＳ提供部１１８の内部構成の一例を概略的に示す。本実施形態において、ＳＮＳ提供部１１８は、アカウント登録部２１２と、プロフィール配信部２１４と、フォロワー登録受付部２１６と、開催通知配信部２２２と、参加申込受付部２２４と、参加者選定部２２６と、当選通知配信部２２８と、決済部２３２と、収益予測部２３４とを備える。
【００２７】
フォロワー登録受付部２１６は、登録部の一例であってよい。開催通知配信部２２２は、配信部の一例であってよい。参加申込受付部２２４は、申込情報取得部の一例であってよい。参加者選定部２２６は、選定部の一例であってよい。当選通知配信部２２８は、通知部の一例であってよい。決済部２３２は、決済処理部及び返金処理部の一例であってよい。
【００２８】
本実施形態において、アカウント登録部２１２は、取引管理システム１００のユーザのアカウントを作成する。アカウント登録部２１２は、アカウントの識別情報と、当該アカウントに付与された権限を示す情報とを対応付けて格納してよい。例えば、アカウント登録部２１２は、アカウントの識別情報と、イベントの開催に関する告知情報を配信する権限の有無とを対応付けて格納する。上記の情報は、例えば、格納部１１６に格納される。
【００２９】
本実施形態において、プロフィール配信部２１４は、ユーザのプロフィール情報を配信する。プロフィール情報は、例えば、画像及びメッセージの少なくとも一方を含む。プロフィール情報は、イベントを開催する意思があることを示す情報を含んでもよい。
【００３０】
本実施形態において、フォロワー登録受付部２１６は、特定の閲覧者１０６の通信端末６０から、開催者１０４が発信する情報の配信を希望することを示す情報を取得する。フォロワー登録受付部２１６は、上記の特定の閲覧者１０６のアドレス又はアカウントを、開催者１０４のフォロワーのリストに登録する。例えば、フォロワー登録受付部２１６は、開催者１０４のイベントの開催に関する告知情報の配信を希望する閲覧者１０６（登録者と称する場合がある。）のアドレス又はアカウントを、フォロワーのリストに登録する。
【００３１】
本実施形態において、開催通知配信部２２２は、上記の登録者の通信端末６０に、イベントの開催に関する告知情報を配信する。イベントの開催に関する告知情報は、例えば、イベントの開催場所に関する情報、イベントの開催日時に関する情報、イベントの内容に関する情報、イベントにおいて提供される特典に関する情報、イベントの参加条件に関する情報、イベントの参加費用に関する情報などを含む。イベントの開催場所に関する情報には、イベントの開催場所の詳細な位置を含み、イベントの開催場所よりも大きな地理的範囲を有するエリアの位置を示す情報が含まれてよい。上記の地理的範囲を有するエリアの位置を示す情報としては、イベントの開催場所が存在する行政区画（例えば、市区町村である。）に関する情報、イベントの開催場所の最寄駅に関する情報などを例示することができる。これにより、当選者以外の閲覧者１０６により、イベントの開催場所の詳細な位置が特定されることを抑制することができる。
【００３２】
本実施形態において、参加申込受付部２２４は、開催通知配信部２２２が配信した告知情報に示されたイベントへの参加を希望する閲覧者１０６（申込者と称する場合がある。）の通信端末６０から、当該イベントへの参加の申し込みに関する申込情報を取得する。本実施形態において、参加者選定部２２６は、１又は複数の申込者の中から、イベントに参加することのできる１又は複数の閲覧者１０６（当選者と称する場合がある。）を選定する。参加者選定部２２６は、（ｉ）開催者１０４の指示、（ｉｉ）抽選結果、（ｉｉｉ）申し込みの順序、及び、（ｉｖ）支払金額の少なくとも１つに基づいて、当選者を決定してよい。
【００３３】
本実施形態において、当選通知配信部２２８は、参加者選定部２２６が選定した閲覧者１０６の通信端末６０に、イベントへの参加が認められたことを示す情報と、イベントの開催場所の詳細な位置を示す情報とを含む当選通知を送信する。これにより、当選者にのみ、イベントの開催場所の詳細な位置を連絡することができる。イベントの開催場所の詳細な位置を示す情報は、閲覧者１０６がイベントの開催場所を特定することができる程度に具体的な位置を示す情報であってよい。イベントの開催場所の詳細な位置としては、イベントが開催される施設の住所、当該施設の名称、当該施設内の位置などを例示することができる。
【００３４】
本実施形態において、決済部２３２は、参加申込受付部２２４が申込情報を取得したことに応じて、決済処理又は与信枠を確保するための処理を実行する。決済部２３２は、イベントが開催される前に、決済処理又は与信枠を確保するための処理を実行してよい。これにより、開催者１０４はより安全に取引を行うことができる。また、一実施形態によれば、アカウント登録部２１２が、イベントの開催に関する告知情報を配信する権限の有無を、アカウントごとに設定できるので、閲覧者１０６の取引の安全も向上する。
【００３５】
本実施形態によれば、参加者選定部２２６が当選者を選定したときに、決済処理が既に完了している場合、決済部２３２は、当選者以外の申込者に対する返金処理を実行する。一方、参加者選定部２２６が当選者を選定したときに、決済処理がまだ完了していない場合（例えば、仮売上処理が実行された後、実売上処理が実行されていない場合である。）、決済部２３２は、当選者以外の申込者の与信枠を開放するための処理（例えば、当選者以外の申込者に対する仮売上の取消処理である。）を実行する。
【００３６】
本実施形態において、収益予測部２３４は、イベントの開催による収益を予測する。収益予測部２３４は、例えば、申込者が支払うイベント参加費用を集計したり、イベントの開催費用を試算したりすることにより、イベントの開催による収益を予測する。
【００３７】
図３は、取引管理システム１００における情報処理の一例を概略的に示す。本実施形態によれば、まず、Ｓ３０２において、アカウント登録部２１２が、開催者１０４のアカウントを作成する。アカウント登録部２１２は、アカウントごとに、イベントの開催に関する告知情報を配信する権限の有無を設定してよい。アカウント登録部２１２は、取引管理システム１００の運営者などによる審査により、イベントの開催に関する告知情報を配信する資格を有すると判断されたユーザに対してのみ、アカウントを付与してもよい。Ｓ３０４において、アカウント登録部２１２が、ユーザのプロフィール情報を作成する。Ｓ３０６において、プロフィール配信部２１４が、ＳＮＳ上にプロフィール情報を公開する。
【００３８】
次に、Ｓ３１２において、フォロワー登録受付部２１６が、特定の閲覧者１０６の通信端末６０から、特定の開催者１０４によるイベントの開催に関する告知情報の配信を希望することを示す情報を取得する。フォロワー登録受付部２１６は、上記の特定の閲覧者１０６のアドレス又はアカウントを、上記の特定の開催者１０４のフォロワーのリストに登録する。
【００３９】
開催者１０４は、自己のフォロワーの数及びプロフィールの少なくとも一方を考慮して、イベントを開催する時期を決定する。開催者１０４は、イベントを決定することを決定すると、通信端末４０を用いて、イベントの開催に関する告知情報を作成することを示す情報を、管理サーバ１１０に送信する。Ｓ３２２において、開催通知配信部２２２は、通信端末４０から告知情報を作成することを示す情報を受信すると、告知情報を作成するための入力画面を通信端末４０に送信する。開催通知配信部２２２は、通信端末４０から、入力画面に入力された情報を取得して、告知情報を作成する。Ｓ３２４において、開催通知配信部２２２は、Ｓ３２２において作成された告知情報を公開する。また、開催通知配信部２２２は、開催者１０４のフォロワーとして登録されている閲覧者１０６の通信端末６０に、告知情報が公開されたことを示すイベント開催通知を配信する。
【００４０】
次に、Ｓ３２６において、参加申込受付部２２４が、開催通知配信部２２２が配信した告知情報に示されたイベントへの参加を希望する閲覧者１０６の通信端末６０から、当該イベントへの参加の申し込みに関する申込情報を取得する。Ｓ３２８において、決済部２３２が、参加申込受付部２２４が申込情報を取得したことに応じて、決済処理又は与信枠を確保するための処理を実行する。
【００４１】
次に、Ｓ３３２において、参加者選定部２２６が、１又は複数の申込者の中から、イベントに参加することのできる１又は複数の当選者を選定する。Ｓ３３４において、当選通知配信部２２８が、当選者の通信端末６０に、イベントへの参加が認められたことを示す情報と、イベントの開催場所の詳細な位置を示す情報とを含む当選通知を送信する。そして、申込時に決済が完了している場合（Ｓ３３６のＹｅｓの場合）、Ｓ３３８において、決済部２３２が、当選者以外の申込者に対する返金処理を実行する。その後、Ｓ３４２に進む。一方、申込時に決済が完了していない場合（Ｓ３３６のＮｏの場合）、Ｓ３４０において、決済部２３２が、当選者に対して実売上処理を実行して、決済を完了させる。また、決済部２３２は、当選者以外の申込者に対して仮売上の取消処理を実行して、与信枠を開放する。その後、Ｓ３４２に進む。
【００４２】
Ｓ３４２において、決済部２３２は、開催者１０４の口座に、イベントの参加料に相当する額の金銭又は電子バリューを入金する。なお、決済部２３２は、当選者が支払った参加料の一部を、取引管理システム１００の利用料として徴収してもよい。決済部２３２は、当選者が支払った参加料とは別に、開催者１０４から取引管理システム１００の利用料を徴収してもよい。
【００４３】
電子バリューとしては、電子マネー、仮想通貨などを例示することができる。仮想通貨としては、（ｉ）ブロックチェーン技術又はこれに類似する技術を利用したもの（例えば、ビットコインである。暗号通貨と称される場合もある。）、（ｉｉ）オンラインゲーム・サービス、ソーシャル・ネットワーク・サービス、ポイントサービス、マイレージサービスなどの特定のサービスの内部で通貨のように利用できるものなどを例示することができる。
【００４４】
図４は、入力画面４００の一例を概略的に示す。本実施形態において、入力画面４００は、１又は複数の入力フィールド４１０を含む。例えば、入力画面４００は、識別情報（例えば、イベントの名称である。）、開示日時、終了日時、開催場所、コメント、参加条件、参加特典、参加費用などに関する入力フィールドを含む。入力画面４００は、イベントの運営に関するオプションに関する入力フィールドを含んでもよい。運営に関するオプションとしては、ＳＰを手配するか否か、集金した参加費用の一部を前払いするか否かなどを例示することができる。
【００４５】
図５は、閲覧画面の画面遷移の一例を概略的に示す。画面５０２は、イベントの開催に関する告知情報がない場合における閲覧用の画面の一例であってよい。本実施形態において、画面５０２は、特定の開催者１０４のプロフィール情報が表示される領域５２０と、当該開催者１０４のフォローを申請するためのボタン５２６とを含む。本実施形態において、領域５２０には、画像５２２と、メッセージ５２４とが表示される。画面５０２において、ボタン５２６がクリックされると、画面５０２を閲覧している閲覧者１０６のアカウント情報と、特定の開催者１０４が発信する情報の配信を希望することを示す情報とが、管理サーバ１１０に送信される。また、ＳＮＳ提供部１１８が、上記の閲覧者１０６のアカウントを、開催者１０４のフォロワーのリストに登録する。
【００４６】
画面５０４は、イベントの開催に関する告知情報がある場合における閲覧用の画面の一例であってよい。イベントの開催に関する告知情報が配信されると、閲覧用の画面が、画面５０２から画面５０４へと遷移する。本実施形態において、画面５０４は、特定の開催者１０４のプロフィール情報が表示される領域５２０と、告知情報が表示される領域５４０とを含む。画面５０４は、１又は複数の領域５４０を含んでもよい。
【００４７】
本実施形態において、領域５４０には、告知情報に関するステータス情報５４２と、告知情報５４４と、告知情報により示されるイベントへの参加を申し込むためのボタン５４６とが配される。告知情報に関するステータス情報５４２は、当該告知情報により示されるイベントに関する取引の進捗状況を示す情報であってよい。ステータス情報５４２は、告知情報により示されるイベントに対して参加を申請した否か、当該イベントへの参加が認められたか否かなどを示す情報であってよい。ステータス情報５４２は、色、形、アイコン、文字などを用いて、取引の進捗状況を表現してよい。例えば、管理サーバ１１０の格納部１１６には、閲覧者１０６ごとのステータス情報５４２が格納されており、開催通知配信部２２２は、管理サーバ１１０にアクセスしてきた閲覧者１０６のステータス情報を参照して、その閲覧者１０６用の画面を生成する。
【００４８】
画面５０４においてボタン５４６がクリックされると、イベントの参加費用を支払うための画面５０６が表示される。本実施形態において、画面５０６は、イベントの参加費用を決定するための入力フィールド５６２と、開催者１０４に対するメッセージを記入するための入力フィールド５６４と、参加費用の決済処理又は仮売上処理を実行するためのボタン５６６とを含む。
【００４９】
本実施形態において、画面５０６において、入力フィールド５６２に申し込み口数が入力され、入力フィールド５６４にメッセージが記入され、ボタン５６６がクリックされると、閲覧者１０６のアカウントと、申込情報と、参加費用に関する情報と、メッセージとが、管理サーバ１１０に送信される。決済部２３２は、申込情報を取得すると、決済処理又は仮売上処理を実行する。また、参加者選定部２２６が、申込者の中から当選者を選定する。参加者選定部２２６は、申し込み口数を大きい方が、申し込み口数の小さい方よりも当選確率が大きくなるように、選定処理を実行してもよい。
【００５０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。また、各構成要素は、名称が同一で、参照符号が異なる他の構成要素と同様の特徴を有してもよい。その様な変更または改良を加えた形態も本発明の技術的範囲に含まれ得ることが、特許請求の範囲の記載から明らかである。
【００５１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５２】
１０  通信ネットワーク、２０  通信端末、４０  通信端末、６０  通信端末、１００  取引管理システム、１０４  開催者、１０６  閲覧者、１１０  管理サーバ、１１２  通信部、１１４  入出力部、１１６  格納部、１１８  ＳＮＳ提供部、２１２  アカウント登録部、２１４  プロフィール配信部、２１６  フォロワー登録受付部、２２２  開催通知配信部、２２４  参加申込受付部、２２６  参加者選定部、２２８  当選通知配信部、２３２  決済部、２３４  収益予測部、４００  入力画面、４１０  入力フィールド、５０２  画面、５０４  画面、５０６  画面、５２０  領域、５２２  画像、５２４  メッセージ、５２６  ボタン、５４０  領域、５４２  ステータス情報、５４４  告知情報、５４６  ボタン、５６２  入力フィールド、５６４  入力フィールド、５６６  ボタン
【図１】
2018206041.tif 000003
【図２】
2018206041.tif 000004
【図３】
2018206041.tif 000005
【図４】
2018206041.tif 000006
【図５】
2018206041.tif 000007